(57)【要約】【課題】月毎に変化する日付と曜日の合わせ作業の煩わしさ無くし容易に合致することができるよう、また、時間の経過に伴って生じる必要な項目の数値管理が一目瞭然となるような黒板の提供を目的とする。【解決手段】日付下の曜日の箇所に七面体１の一面が表示されるよう装着し、つまみ２により七面体１を日付と曜日が合う面まで回動させて合致した面で係止させることにより、容易に月毎に変化する日付と曜日を合致保持できる。そして、太陽電池１０を電源としてカウンタ１７を作動させることにより、使用者において項目板９に記入された項目の数値管理ができる。【選択図】　　　　図４
2004009619.tif 000002
【特許請求の範囲】
【請求項１】
月の行事予定欄を有する黒板において、多面体に七曜の３１日分を連続表示し、前記七曜の一面が前記黒板に表示できるよう前記多面体に装着された軸受を前記黒板の日付近傍の裏面に固着し、前記多面体の一面が月毎に変化する日付と曜日が合致するまで前記多面体に装着されたつまみにより回動し、合致した一面を係止できるつめ車を前記多面体に装着することにより、月毎に変化する日付と曜日が容易に合致保持でき、さらに、電源部に電池、入力部に発信器と手動のスイッチを設け、制御部を通して出力部に必要な事項に対して数値管理ができるカウンタを具備したことを特徴とする黒板。
【発明の詳細な説明】
【０００１】
【発明の属する技術分野】
本発明は、月毎に変化する日付と曜日を容易に合致保持することができ、さらに、必要な事項に対して数値管理できる黒板に関するものである。
【０００２】
【従来の技術】
これまでの日付と曜日を合致させる方法としては、月毎に曜日を書き換える方法と実開昭５８−１６８４８５のようなものがあったが、前記考案の内容においては多面体を水平および回転移動するものであった。また、必要な項目の数値管理の方法として、例えば労災無事故累積日数の場合は、専用の表示板に数値のカード差しを横列に３〜５個設け累積日数に応じて０〜９のカードを手で差し替えを行っていた。
【０００３】
【発明が解決しようとする課題】
上記に示す従来の曜日変更方法では、月毎に曜日を書き換えることは月１回の作業であっても全てを書き換えるという煩わしさがあったことと、前記考案は軸を中心に水平および回転移動するため黒板の取り付けで軸が完全な水平状態でなければ不均衡により曜日の位置ずれを起こし、また、回転後の位置を係止するものが無いため曜日の表示が縦向きの黒板には使用できず横向きの黒板のみという不便さがあった。
【０００４】
また、必要な項目の数値管理の方法では専用の表示板を使ってのカウント度にカードを手で差し替えることと、桁数に応じたカード枚数の保管という不便さがあった。
【０００５】
従って、本発明は黒板の取り付け水平性および曜日表示の縦横の向きを全く意識することなく、多面体の回動操作のみで容易に曜日変更ができるようにしている。
【０００６】
そして、数値管理については従来のカード差し替えよりカウンタを用いることにより確実な数値の表示ができ、使用者における専用の表示板とカード枚数の保管という不便さを無くすことを目的としている。
【０００７】
【課題を解決するための手段】
以上のような課題を解決するために次のような手段を用いる。
先ず、多面体の形状は七曜の月初めの変化に対応できるよう七角形以上とし、前記多面体のそれぞれの一面に曜日３１日分を連続表示して、前記多面体の片側に回動操作用のつまみと両側に軸受を装着させる。さらに、前記多面体の一面が黒板に表示されるよう前記軸受により前記黒板の日付近傍の裏面に前記多面体を固着し、回動操作ができるよう前記つまみの一部が黒板の表面に突出できるようにしている。そして、前記多面体を回動させて日付と曜日が合致する面に達した後は、この面を係止させるために軸受の片側に歯車と爪を装着し、これにより曜日の表示が縦横の如何なる向きでも対応できるものにしている。
【０００８】
そして、数値管理については使用者において、前記の労災無事故累計日数のように時間に連動する管理項目と営業実績のように時間に連動しない管理項目があるので、前記２種の管理項目に対応できるよう発信器による信号と押釦のスイッチによる信号の２つの入力方法を採り、この信号を制御部を通して出力部のカウンタで数値管理できるようにしている。
【０００９】
【発明の実施の形態】
本発明の実施の形態を実施例にもとずき図面を参照して説明する。
先ず、第１実施例を説明する。
図１は、図４に示す縦書黒板７に適応できるよう七曜を図２に示す展開図のように横向きに曜日を連続表示した多面体の構成を示すもので、七曜の変化に対応できるよう図３に示す七角形の断面形状をもつ一体成形された七面体１、七面体１の一面が日付と曜日が合致するまで回動させるためのつまみ２、七面体１に付加された軸３、この軸３を両端で支え縦書黒板７の裏面に固着させる軸受４、つまみ２の対向する側に七面体１の回動位置を係止するつめ車５およびつめ６とからなっているものである。
【００１０】
図５はカウンタ１７を作動させる電気のブロック図であり、電源部として省エネルギーを目的とした太陽電池１０、前記電池により発電された電気を制御する充電器１１、日夜の充放電可能な蓄電池１２からなり、入力部として時間に連動した信号用の発信器１３、時間に連動しない人手により信号を発するためのキースイッチ１４からなり、制御部１５により前記２種の信号を使用者が管理したい項目に応じた信号に変換され、出力部として変換された信号により数値表示をするカウンタ１７、作動状況を確認することも含めた時計１６からなっているものであり、各ブロックの詳細についてはインターネット上のウェブサイト、例えば「電子工作倶楽部」を検索することにより閲覧できるので省略する。
【００１１】
そして、図４は縦書黒板７に七面体１とカウンタ１７および付属する器具を装設した状態を示すもので、先ず、縦書黒板７は七面体１とカウンタ１７および付属する器具を装設する際に必要とする箇所を予め削除し、日付下方の削除された部分に図１１に示す透明で連続した七曜を区分するための罫線２３のある前板２２を固着し、この前板２２の近傍に七面体１が表示されるよう縦書黒板７の裏面に軸受４により固着され、つまみ２は七面体１の回動操作ができるよう縦書黒板７の表面より突出している。次にカウンタ１７とこれに付属する器具の太陽電池１０、時計１６、キースイッチ１４は縦書黒板７の月行事予定の欄外の削除した箇所に固着されるものである。なお、日付補正具８は月末が２９日から３１日と変動に対応して日付合わせの補正に使用し、項目板９は使用者において必要とする項目を記入するものであり、双方ともマグネットで吸着させる手段が好適である。
【００１２】
次に、第２実施例を説明する。
図６は、図９に示す横書黒板７ａに適応できるよう七曜を図７に示す展開図のように横向きに曜日を連続表示し一面が空白となっているブロック１９ａを３１個連接した多面体の構成を示すもので、図８に示すように多面体の向きが第１実施例の水平より垂直となるため撓みは減少することを考慮して、軸面に凸部を持ったブロック１９ａを凹部を持った中空軸３ａに嵌合し、前記ブロック１９ａを連設して一体化した八面体１９、そして、前記八面体１９を日付と曜日が合致させる手段は第１実施例と同様である。
【００１３】
なお、ブロック１９ａの１面が空白なっているのは７日分以上の曜日の表示を要しないことと、七面体より八面体の方が一般的であり、曜日を八面体１９のように連続表示するためには、ブロック１９ａの種類を図７の展開図のように７種用意した方が嵌合連設が容易となる。
【００１４】
図１０は第１実施例より廉価を計ったカウンタ１７を作動させる電気のブロック図であり、電源部に乾電池２０、前記時計１６の代用に点滅するＬＥＤ２１を設け、他の器具の作動に関しては第１実施例と同様である。
【００１５】
そして、図９は横書黒板７ａに八面体１９とＬＥＤ２１および付属する器具を装設した状態を示すもので、装設手段については第１実施例と同様である。
【００１６】
図１３は本発明の黒板の側面を示すものであり、縦書黒板７の奥行きは粉受け１８と同じような奥行きを要するものとなっているが、占有する空間は図１４に示すような従来の黒板２５でも同じ粉受け１８があるため変わらず、また、通気口２４は従来の黒板２５の取り付けの壁面に生じ易いカビの発生を空気の滞留から通気させることにより防止しようとするものである。
【００１７】
なお、本発明の黒板は上述の実施例のみに限定されるものではなく、チョークからマーカーを使用するホワイトボードも含まれるものである。
【００１８】
【発明の効果】
本発明は、以上説明したように構成されているので、以下に記載されるような効果がある。
従来、月毎に必要としていた曜日の書き換え作業が、曜日の連続表示された多面体のつまみを回動させることにより容易に日付と曜日を合致させることができる。
【００１９】
そして、多面体につめとつめ車を装着することにより多面体の一面が係止されるため縦書または横書黒板を問わずに対応できる。
【００２０】
さらに、数値管理のカウンタを黒板に具備することにより、事業所においては無事故時間の累計や営業実績の達成度合など、また、家庭においては家庭内行事のカウントダウンも表示でき幅広く活用できる。
【００２１】
また、黒板本体の奥行きは従来のものより大きくなるが、粉受けが奥行きを必要とする要因となっているので、黒板が占有する空間は全く代わることなく通気口を設けることにより、従来の黒板裏の壁面に生じ易いカビの発生を防止することができる。
【図面の簡単な説明】
【図１】第１実施例の七面体の平面図である。
【図２】上記の展開図の一部分である。
【図３】上記のＡ−Ｂ断面図である。
【図４】第１実施例を示した立面図である。
【図５】第１実施例の電気ブロック図である。
【図６】第２実施例の八面体の平面図である。
【図７】上記の展開図の一部分である。
【図８】上記のＣ−Ｄ断面図である。
【図９】第２実施例を示した立面図である。
【図１０】第２実施例の電気ブロック図である。
【図１１】曜日表示の前板を示した図である。
【図１２】上記のＥ−Ｆ断面図である。
【図１３】縦書黒板の側面図である。
【図１４】従来の黒板の側面図である。
【符号の説明】
１　　七面体
２　　つまみ
３　　軸
３ａ　中空軸
４　　軸受
５　　つめ車
６　　つめ
７　　縦書黒板
７ａ　横書黒板
８　　日付補正具
９　　項目板
１０　　太陽電池
１１　　充電器
１２　　蓄電池
１３　　発信器
１４　　キースイッチ
１５　　制御部
１６　　時計
１７　　カウンタ
１８　　粉受け
１９　　八面体
１９ａ　ブロック
２０　　乾電池
２１　　ＬＥＤ
２２　　前板
２３　　罫線
２４　　通気口
２５　　従来の黒板
【図１】
2004009619.tif 000003
【図２】
2004009619.tif 000004
【図３】
2004009619.tif 000005
【図４】
2004009619.tif 000006
【図５】
2004009619.tif 000007
【図６】
2004009619.tif 000008
【図７】
2004009619.tif 000009
【図８】
2004009619.tif 000010
【図９】
2004009619.tif 000011
【図１０】
2004009619.tif 000012
【図１１】
2004009619.tif 000013
【図１２】
2004009619.tif 000014
【図１３】
2004009619.tif 000015
【図１４】
2004009619.tif 000016